【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
一つの駆動源と、
遊技機における第１の位置から第２の位置へ移動する第１の可動体および第２の可動体と、
前記駆動源についての複数の制御情報のうち、いずれかの前記制御情報に対応して前記駆動源を制御する制御手段と、
前記駆動源からの動力を受けて、該動力を、前記第１の可動体と前記第２の可動体とに順次伝達する第１の動作、または双方に並行して伝達する第２の動作を行う動力伝達手段と、を備え、
前記駆動源は、前記制御手段に制御されて前記動力伝達手段を駆動させ、
前記第１の動作がなされた場合は、前記第１の可動体と前記第２の可動体の動作タイミングが非同期であり、
前記第２の動作がなされた場合は、前記第１の可動体および前記第２の可動体の動作タイミングが実質的に同期すること、
を特徴とする遊技機。
【請求項２】
前記駆動源は、第１の方向、および該第１の方向の反対方向である第２の方向への駆動力を選択的に出力し、
複数の前記制御情報には、前記駆動源に前記第１の方向への駆動力を出力させる第１の制御情報と、該駆動源に前記第２の方向への駆動力を出力させる第２の制御情報とが含まれ、
前記制御手段は、
前記第１の制御情報にしたがって前記駆動源に第１の方向への駆動力を出力させて、前記動力伝達手段を介して前記第１の可動体と前記第２の可動体とに対し動力をそれぞれ伝達することにより、該第１の可動体と該第２の可動体とに、前記第１の動作を行わせ、
前記第２の制御情報にしたがって前記駆動源に第２の方向への駆動力を出力させて、前記動力伝達手段を介して前記第１の可動体と前記第２の可動体とに対し動力をそれぞれ伝達することにより、該第１の可動体と該第２の可動体とに、前記第２の動作を行わせること、
を特徴とする請求項１に記載の遊技機。
【請求項３】
前記駆動源は、第１の方向、および該第１の方向の反対方向である第２の方向への駆動力を選択的に出力し、
複数の前記制御情報には、前記駆動源に前記第１の方向への駆動力を出力させる第１の制御情報と、該駆動源に前記第２の方向への駆動力を出力させる第２の制御情報とが含まれ、
前記制御手段は、
前記第１の制御情報にしたがって前記駆動源に第１の方向への駆動力を出力させることにより、前記動力伝達手段に前記第１の動作を行わせ、前記第２の制御情報にしたがって前記駆動源に第２の方向への駆動力を出力させることにより、前記動力伝達手段に前記第２の動作を行わせ、
前記第１の動作が行われた場合、前記第１の可動体には、前記第２の可動体より先に、前記動力伝達手段から動力が伝達されて、前記第１の可動体の移動開始の後に前記第２の可動体の移動が開始され、
前記第２の動作が行われた場合、前記第１の可動体および前記第２の可動体の移動開始タイミングが実質的に一致すること、
を特徴とする請求項１に記載の遊技機。
【請求項４】
前記動力伝達手段は、外周面を有するドラムを備え、
前記外周面は、周方向の位置を同じにした第１カム部と、周方向の位置を互いに異ならせた複数の第２カム部とが設けられ、
前記ドラムを第１の方向に回転させたとき、前記第１の可動体および前記第２の可動体の位置にそれぞれ対応する各前記第２カム部に、該第１の可動体および第２の可動体をそれぞれ従動させることにより、前記第１の可動体と前記第２の可動体との前記動作タイミングが非同期となり、
前記ドラムを第２の方向に回転させたとき、前記第１カム部に、前記第１の可動体および前記第２の可動体を従動させ、該第１の可動体と該第２の可動体との動作タイミングが実質的に同期すること、
を特徴とする請求項１または３に記載の遊技機。
【請求項５】
前記第１の可動体および第２の可動体を含む第１の可動体群と、第３の可動体および第４の可動体を含んで構成される第２の可動体群と、を備え、
前記第１の可動体群と前記第２の可動体群とは並列的に配置され、かつその動作順があらかじめ設定され、
前記動力伝達手段は、前記第１の可動体群に属する各可動体に動力伝達をする第１の伝達部と、前記第２の可動体群に属する各可動体に動力伝達をする第２の伝達部とを有し、かつ
前記動力伝達手段は、あらかじめ設定された前記動作順に基づき、前記第１の可動体群および前記第２の可動体群のいずれかを優先的に移動させるように構成されること、
を特徴とする請求項１〜４のいずれかに記載の遊技機。
【手続補正２】
【補正対象書類名】明細書
【補正対象項目名】０００９
【補正方法】変更
【補正の内容】
【０００９】
かかる目的を達成するための本発明の請求項１に記載の遊技機は、一つの駆動源と、遊技機における第１の位置から第２の位置へ移動する第１の可動体および第２の可動体と、前記駆動源についての複数の制御情報のうち、いずれかの前記制御情報に対応して前記駆動源を制御する制御手段と、前記駆動源からの動力を受けて、該動力を、前記第１の可動体と前記第２の可動体とに順次伝達する第１の動作、または双方に並行して伝達する第２の動作を行う動力伝達手段と、を備え、前記駆動源は、前記制御手段に制御されて前記動力伝達手段を駆動させ、前記第１の動作がなされた場合は、前記第１の可動体と前記第２の可動体の動作タイミングが非同期であり、前記第２の動作がなされた場合は、前記第１の可動体および前記第２の可動体の動作タイミングが実質的に同期すること、を特徴とする。
請求項２に記載の遊技機は、請求項１に記載の遊技機であって、前記駆動源は、第１の方向、および該第１の方向の反対方向である第２の方向への駆動力を選択的に出力し、複数の前記制御情報には、前記駆動源に前記第１の方向への駆動力を出力させる第１の制御情報と、該駆動源に前記第２の方向への駆動力を出力させる第２の制御情報とが含まれ、前記制御手段は、前記第１の制御情報にしたがって前記駆動源に第１の方向への駆動力を出力させて、前記動力伝達手段を介して前記第１の可動体と前記第２の可動体とに対し動力をそれぞれ伝達することにより、該第１の可動体と該第２の可動体とに、前記第１の動作を行わせ、前記第２の制御情報にしたがって前記駆動源に第２の方向への駆動力を出力させて、前記動力伝達手段を介して前記第１の可動体と前記第２の可動体とに対し動力をそれぞれ伝達することにより、該第１の可動体と該第２の可動体とに、前記第２の動作を行わせること、を特徴とする。
請求項３に記載の遊技機は、請求項１に記載の遊技機であって、前記駆動源は、第１の方向、および該第１の方向の反対方向である第２の方向への駆動力を選択的に出力し、複数の前記制御情報には、前記駆動源に前記第１の方向への駆動力を出力させる第１の制御情報と、該駆動源に前記第２の方向への駆動力を出力させる第２の制御情報とが含まれ、前記制御手段は、前記第１の制御情報にしたがって前記駆動源に第１の方向への駆動力を出力させることにより、前記動力伝達手段に前記第１の動作を行わせ、前記第２の制御情報にしたがって前記駆動源に第２の方向への駆動力を出力させることにより、前記動力伝達手段に前記第２の動作を行わせ、前記第１の動作が行われた場合、前記第１の可動体には、前記第２の可動体より先に、前記動力伝達手段から動力が伝達されて、前記第１の可動体の移動開始の後に前記第２の可動体の移動を開始され、前記第２の動作が行われた場合、前記第１の可動体および前記第２の可動体の移動開始タイミングが実質的に一致すること、を特徴とする。
請求項４に記載の遊技機は、請求項１または３に記載の遊技機であって、前記動力伝達手段は、外周面を有するドラムを備え、前記外周面は、周方向の位置を同じにした第１カム部と、周方向の位置を互いに異ならせた複数の第２カム部とが設けられ、前記ドラムを第１の方向に回転させたとき、前記第１の可動体および前記第２の可動体の位置にそれぞれ対応する各前記第２カム部に、該第１の可動体および第２の可動体をそれぞれ従動させることにより、前記第１の可動体と前記第２の可動体との前記動作タイミングが非同期となり、前記ドラムを第２の方向に回転させたとき、前記第１カム部に、前記第１の可動体および前記第２の可動体を従動させ、該第１の可動体と該第２の可動体との動作タイミングが実質的に同期すること、を特徴とする。
請求項５に記載の遊技機は、請求項１〜４のいずれかに記載の遊技機であって、前記第１の可動体および第２の可動体を含む第１の可動体群と、第３の可動体および第４の可動体を含んで構成される第２の可動体群と、を備え、前記第１の可動体群と前記第２の可動体群とは並列的に配置され、かつその動作順があらかじめ設定され、前記動力伝達手段は、前記第１の可動体群に属する各可動体に動力伝達をする第１の伝達部と、前記第２の可動体群に属する各可動体に動力伝達をする第２の伝達部とを有し、かつ前記動力伝達手段は、あらかじめ設定された前記動作順に基づき、前記第１の可動体群および前記第２の可動体群のいずれかを優先的に移動させるように構成されること、を特徴とする。
【手続補正３】
【補正対象書類名】明細書
【補正対象項目名】００１０
【補正方法】変更
【補正の内容】
【００１０】
本発明の請求項１に記載の遊技機は、遊技機における第１の位置から第２の位置へ複数の可動体を移動させるときの可動体間のタイミングを異ならせる構成を有する。したがって、可動体間でコストを低減し、さらに、駆動源の設置スペースを削減した上で、遊技の興趣を高めることが可能となる。また、動力伝達手段は駆動源からの動力を各可動体に順次伝達する第１の動作と、各可動体に並行して伝達する第２の動作を行う。また制御手段が駆動源を制御して動力伝達手段を駆動させ、第１の動作の場合は各可動体の動作タイミングを非同期とする。また、第２の動作の場合は、各可動体の動作タイミングが実質的に同期する。このような動力伝達手段の構成によれば、各可動体の動作態様を制御に応じて変更し、ユーザにとって異なる動作態様を明確に識別できるようにすることができる。したがって、遊技の興趣を高めることができる。
請求項２に記載の遊技機によれば、駆動源を制御するだけで各可動体の動作タイミングを変更することができ、制御構成を簡便にすることが可能である。
請求項３に記載の遊技機によれば、一例として各可動体を漸次移動させる態様と、一斉に移動させる態様とを呈示することが可能である。したがって、遊技の興趣をさらに高めることが可能となる。
請求項４に記載の遊技機によれば、一例として各可動体を漸次移動させる態様と、一斉に移動させる態様とを呈示することが可能である。したがって、遊技の興趣をさらに高めることが可能となる。
請求項５に記載の遊技機によれば、上記の各可動体の動作態様を行う集合体の数を増加させ、さらに複数の可動体におけるバリエーションのある動作態様を呈示することが可能である。したがって、遊技の興趣をさらに高めることができる。また、制御に応じて各可動体群のタイミングを同じにしたり、各可動体群のタイミングをずらしたりして、遊技の興趣をさらに高めることができる。